(57)【特許請求の範囲】
【請求項１】
大規模アンテナ・システムのユーザ機器（ＵＥ）で使用される方法であって、
下りリンク・チャネルを検出するステップと、
マルチパス伝搬モデルにより、第１の数の強い伝搬路のチャネル応答を決定するステップであって、各伝搬路の前記チャネル応答が、次の時変パラメータ、すなわち到来方向、到来する時間、およびパス振幅に関連する行列として決定される、ステップと、
前記第１の数および前記第１の数の強い伝搬路の前記時変パラメータの表示情報をフィード・バックするステップと
を含み、
前記到来方向および到来する時間の表示情報が、第１の平均周期に基づいてフィード・バックされ、前記パス振幅の表示情報が、第２の平均周期に基づいてフィード・バックされ、前記第１の平均周期が、前記第２の平均周期よりも長い、方法。
【請求項２】
前記下りリンク・チャネルがサブバンドを含み、前記第１の数の強い伝搬路の前記時変パラメータの前記表示情報が、前記到来方向の表示情報と、前記到来する時間および前記サブバンドにおける前記パス振幅の結合平均値の表示情報とを含む、請求項１に記載の方法。
【請求項３】
前記到来方向の前記表示情報が、前記第１の平均周期に基づいてフィード・バックされ、前記到来する時間および前記サブバンドにおける前記パス振幅の前記結合平均値の表示情報が、前記第２の平均周期に基づいてフィード・バックされ、前記第１の平均周期が、前記第２の平均周期よりも長い、請求項２に記載の方法。
【請求項４】
大規模アンテナ・システムの基地局デバイスで使用される方法であって、
第１の数および前記第１の数の強い伝搬路の時変パラメータの表示情報を受信するステップであって、前記第１の数および前記表示情報が、ユーザ機器（ＵＥ）によってフィード・バックされ、前記時変パラメータが、到来方向、到来する時間、およびパス振幅を含む、ステップと、
前記第１の数の強い伝搬路の前記時変パラメータの前記受信された表示情報により下りリンク・チャネル応答を決定するステップと
を含み、
前記下りリンク・チャネルがサブバンドを含み、前記第１の数の強い伝搬路の前記時変パラメータの前記表示情報が、前記到来方向の表示情報と、前記到来する時間および前記サブバンドにおける前記パス振幅の結合平均値の表示情報とを含む、方法。
【請求項５】
大規模アンテナ・システムのユーザ機器（ＵＥ）で使用される装置であって、
下りリンク・チャネルを検出するように構成された、検出モジュールと、
マルチパス伝搬モデルにより、第１の数の強い伝搬路のチャネル応答を決定するように構成された計算モジュールであって、各伝搬路の前記チャネル応答が、次の時変パラメータ、すなわち到来方向、到来する時間、およびパス振幅に関連する行列として決定される、計算モジュールと、
前記第１の数および前記第１の数の強い伝搬路の前記時変パラメータの表示情報をフィード・バックするように構成された、フィードバック・モジュールと
を含み、
前記到来方向および到来する時間の表示情報が、第１の平均周期に基づいてフィード・バックされ、前記パス振幅の表示情報が、第２の平均周期に基づいてフィード・バックされ、前記第１の平均周期が、前記第２の平均周期よりも長い、装置。
【請求項６】
前記下りリンク・チャネルがサブバンドを含み、前記第１の数の強い伝搬路の前記時変パラメータの前記表示情報が、前記到来方向の表示情報と、前記到来する時間および前記サブバンドにおける前記パス振幅の結合平均値の表示情報とを含む、請求項５に記載の装置。
【請求項７】
前記フィードバック・モジュールが、前記到来方向の前記表示情報を前記第１の平均周期に基づいてフィード・バックし、前記到来する時間および前記サブバンドにおけるパス振幅の前記結合平均値の前記表示情報を前記第２の平均周期に基づいてフィード・バックするように構成され、前記第１の平均周期が、前記第２の平均周期よりも長い、請求項６に記載の装置。
【請求項８】
大規模アンテナ・システムの基地局デバイスで使用される装置であって、
第１の数および前記第１の数の強い伝搬路の時変パラメータの表示情報を受信するように構成された受信モジュールであって、前記第１の数および前記表示情報が、ユーザ機器（ＵＥ）によってフィード・バックされ、前記時変パラメータは、到来方向、到来する時間、およびパス振幅を含む、受信モジュールと、
前記第１の数の強い伝搬路の前記時変パラメータの前記受信された表示情報により下りリンク・チャネル応答を決定するように構成された、計算モジュールと
を含み、
前記下りリンク・チャネルがサブバンドを含み、前記第１の数の強い伝搬路の前記時変パラメータの前記表示情報が、前記到来方向の表示情報と、前記到来する時間および前記サブバンドにおける前記パス振幅の結合平均値の表示情報とを含む、装置。
【請求項９】
請求項５乃至７のいずれか１項に記載の装置を含む、ユーザ機器（ＵＥ）。
【請求項１０】
請求項８に記載の装置を含む、基地局デバイス。
【発明の詳細な説明】
【技術分野】
【０００１】
本発明は、概してモバイル通信技術に関し、より詳細には、複数ユーザ多入力多出力（ＭＵ  ＭＩＭＯ）伝送技術に関する。
【背景技術】
【０００２】
周波数分割複信（ＦＤＤ：Frequency Division Duplexing）システムにおいて、下りリンク閉ループＭＩＭＯ処理は、ユーザ機器（ＵＥ）からのチャネル状態情報（ＣＳＩ：channel state information）フィードバックを必要とする。基地局アンテナの数の増加にともない、フィードバック・ペイロードもまた増大し、そのためにＣＳＩフィードバック・ペイロードが実際の利用の要件を満たすことがますます困難となっている。大規模なアンテナ・システムでは、基地局デバイスは１００個以上のアンテナを装備され、１００個以上のアンテナを使用することがある。この場合、従来の短期間のＣＳＩフィードバックは、実際の利用には役に立たない。別の態様では、大規模なアンテナ・システムの総伝送電力の減少は、主として正確なＣＳＩに依存し、このこともまた、大規模なアンテナ・システムにおいてＣＳＩフィードバックを不可欠にする。
【発明の概要】
【発明が解決しようとする課題】
【０００３】
本発明の主な目的は、従来技術における欠陥を解消するために、ＭＩＭＯシステムで使用されるＣＳＩフィードバック解決法を提供することである。最近のマルチアンテナ測定および研究は、多くの場合、大規模アンテナ・システムにおける無線チャネルは疎（sparse）であり、無線チャネルのチャネル容量は、単になんらかの自由度（free degree）によって決定される（アンテナ数よりもはるかに少ない）ことを示す。
【課題を解決するための手段】
【０００４】
一実施形態が、大規模アンテナ・システムのＵＥで使用される方法を提供し、この方法は、下りリンク・チャネルを検出するステップと、マルチパス伝搬モデルにより、第１の数の強い伝搬路のチャネル応答を決定するステップであって、各伝搬路のチャネル応答が次の時変パラメータ、すなわち、到来方向、到来する時間、およびパス振幅に関連する行列として決定される、ステップと、第１の数および第１の数の強い伝搬路の時変パラメータの表示情報をフィード・バックするステップとを含む。
【０００５】
前述の方法の一実施形態では、到来方向および到来する時間の表示情報が、第１の平均周期に基づいてフィード・バックされ、パス振幅の表示情報が、第２の平均周期に基づいてフィード・バックされ、第１の平均周期は、第２の平均周期よりも長い。
【０００６】
前述の方法の一実施形態では、下りリンク・チャネルはサブバンドを含み、第１の数の強い伝搬路の時変パラメータの表示情報は、到来方向の表示情報と、到来する時間およびサブバンドにおけるパス振幅の結合平均値（joint mean value）の表示情報とを含む。
【０００７】
前述の方法の一実施形態では、到来方向の表示情報は、第１の平均周期に基づいてフィード・バックされ、到来する時間およびサブバンドにおけるパス振幅の結合平均値の表示情報は、第２の平均周期に基づいてフィード・バックされ、第１の平均周期は、第２の平均周期よりも長い。
【０００８】
別の実施形態は、第１の数、および第１の数の強い伝搬路の時変パラメータの表示情報を受信するステップであって、第１の数および表示情報はＵＥによってフィード・バックされ、時変パラメータは、到来方向、到来する時間、およびパス振幅を含む、ステップと、第１の数の強い伝搬路の時変パラメータの受信された表示情報により下りリンク・チャネル応答を決定するステップとを含む、大規模アンテナ・システムの基地局デバイスで使用される方法を提供する。
【０００９】
前述の方法の一実施形態では、下りリンク・チャネルはサブバンドを含み、第１の数の強い伝搬路の時変パラメータの表示情報は、到来方向の表示情報と、到来する時間およびサブバンドにおけるパス振幅の結合平均値の表示情報とを含む。
【００１０】
さらに別の実施形態は、大規模アンテナ・システムのＵＥで使用される装置を提供し、この装置は、下りリンク・チャネルを検出するように構成された、検出モジュールと、マルチパス伝搬モデルにより、第１の数の強い伝搬路のチャネル応答を決定するように構成され、各伝搬路のチャネル応答が次の時変パラメータ、すなわち、到来方向、到来する時間、およびパス振幅に関連する行列として決定される、計算モジュールと、第１の数および第１の数の強い伝搬路の時変パラメータの表示情報をフィード・バックするように構成された、フィードバック・モジュールとを含む。
【００１１】
前述の装置の一実施形態では、フィードバック・モジュールは、到来方向および到来する時間の表示情報を第１の平均周期に基づいてフィード・バックし、パス振幅の表示情報を第２の平均周期に基づいてフィード・バックするように構成され、第１の平均周期は、第２の平均周期よりも長い。
【００１２】
前述の装置の一実施形態では、下りリンク・チャネルはサブバンドを含み、第１の数の強い伝搬路の時変パラメータの表示情報は、到来方向の表示情報と、到来する時間およびサブバンドにおけるパス振幅の結合平均値の表示情報とを含む。
【００１３】
前述の装置の一実施形態では、フィードバック・モジュールは、到来方向の表示情報を第１の平均周期に基づいてフィード・バックし、到来する時間およびサブバンドにおけるパス振幅の結合平均値の表示情報を第２の平均周期に基づいてフィード・バックするように構成され、第１の平均周期は、第２の平均周期よりも長い。
【００１４】
ＵＥが、前述の装置を含む。
【００１５】
別の実施形態は、第１の数、および第１の数の強い伝搬路の時変パラメータの表示情報を受信するように構成された受信モジュールであって、第１の数および表示情報はＵＥによってフィード・バックされ、時変パラメータは、到来方向、到来する時間、およびパス振幅を含む、受信モジュールと、第１の数の強い伝搬路の時変パラメータの受信された表示情報により下りリンク・チャネル応答を決定するように構成された、計算モジュールとを含む、大規模アンテナ・システムの基地局デバイスで使用される装置を提供する。
【００１６】
前述の装置の一実施形態では、下りリンク・チャネルはサブバンドを含み、第１の数の強い伝搬路の時変パラメータの表示情報は、到来方向の表示情報と、到来する時間およびサブバンドにおけるパス振幅の結合平均値の表示情報とを含む。
【００１７】
基地局デバイスが、前述の装置を含む。
【００１８】
本発明の技術的特徴および利点は、以下の本発明の詳細な説明がより容易に理解されるように上述している。本発明の他の特徴および利点が以下に説明され、本発明の請求項の主題を形成する。開示される概念および実施形態を容易に変更することができる、または本発明と同じ目的を実現するために使用される構造もしくは手順の基礎を設計することができることを、当業者は理解することができる。このような同等の構造が添付の特許請求の範囲の趣旨および範囲にやはり含まれることも、当業者には理解されよう。
【００１９】
添付の図面を参照して、本発明の好ましい実施形態の詳細な説明の理解がより容易になる。本発明は、例を使用することによって説明されるが、添付の図面に限定されない。添付の図面の同様の記号は、同様の要素を指す。
【図面の簡単な説明】
【００２０】
【図１】本発明の一実施形態による、大規模なアンテナ・システムのＵＥで使用される方法のフローチャートである。
【図２】本発明の一実施形態による、大規模なアンテナ・システムの基地局デバイスで使用される方法のフローチャートである。
【図３】本発明の一実施形態による、大規模なアンテナ・システムのＵＥで使用される装置の構造図である。
【図４】本発明の一実施形態による、大規模なアンテナ・システムの基地局デバイスで使用される装置の構造図である。
【発明を実施するための形態】
【００２１】
添付の図面の詳細な説明は、本発明の現在の好ましい実施形態の説明として役立つことを意図されているが、本発明を実施するための唯一の形を表すことを意図されていない。同一の機能または同等の機能が、本発明の趣旨および範囲に含まれる異なる実施形態によって実施され得ることは理解されよう。
【００２２】
本明細書に記載される手段および機能は、プログラム制御マイクロプロセッサおよび汎用コンピュータを組み合わせるソフトウェア機能によって実施される、および／または特定用途向け集積回路（ＡＳＩＣ）を使用することによって実施されることが可能であることを、当業者は理解することができる。本発明は、方法および装置の形で説明されるが、本発明は、コンピュータ・プログラム製品、ならびにコンピュータ・プロセッサおよびプロセッサに接続されたメモリを含んだシステムとして、具体化されることも可能であることはさらに理解されよう。メモリは、本明細書に開示される機能を実施することができる１つまたは複数のプログラムを使用することによってエンコードされる。
【００２３】
本明細書における基地局または基地局デバイスは、たとえば、ＬＴＥシステムまたはＬＴＢ−ＡシステムにおけるＮｏｄｅ  Ｂまたは発展型Ｎｏｄｅ  Ｎ（ｅＮＢ）であるが、これに限らないことは、当業者には理解されよう。本発明の技術的解決策は、ＬＴＥシステムまたはＬＴＥ−Ａシステムにおける適用に限らない。
【００２４】
基地局が、Ｎ個の送信アンテナの線形アンテナ・アレイで構成され、サブキャリアの数がＮＦＦＴである直交周波数分割多重（ＯＦＤＭ）システムを使用する。無線マルチパス・チャネルが、Ｋ個の伝搬路によって形成され、各伝搬路について、到来する時間（ＴｏＡ）がτｋ、到来方向がθｋ、複素振幅がβｋ（ｋ＝１からＫ）である。したがってチャネル応答の周波数領域を、次のように表すことができる：
【数１】
0006386032.tif 000002
ここで、ＨはＮ×ＮＦＰＴ次元行列であり、第（ｎ，ｊ）要素は、ｊ番目のサブキャリア上のｎ番目の送信アンテナの減衰係数を表し、ｈｊ＝［ｈ（１，ｊ）Λｈ（Ｎ，ｊ）］ＴはＨの第ｊ列である。式（１）では、
ａ（θｋ）＝［１，ｅｘｐ（ｌ２πθｋ），Λ，ｅｘｐ（ｌ（Ｎ−１）２πθｋ）］Ｔ      （２）
および
ｆ（τｋ）＝［１，ｅｘｐ（ｌ２πＷτｋ／ＮＦＦＴ），Λ，ｅｘｐ（ｌ２π（ＮＦＦＴ−１）Ｗτｋ／ＮＦＦＴ）］Ｔ      （３）
ここで、
【数２】
0006386032.tif 000003
、Ｗはシステム帯域幅を表し、θｋ＝ｄ  ｓｉｎ（φｋ）／λ＝α  ｓｉｎ（φｋ）、φｋはｋ番目のパスの物理的到来角を表し、ｄはアンテナ間の距離を表し、λは伝送のためのサブキャリア波長を表し、α＝ｄ／λである。大規模アンテナ・システムの無線チャネルの疎性により、限られた数の領域伝搬路または強い伝搬路しか、通信容量に貢献していない。
【００２５】
図１は、本発明の一実施形態による大規模なアンテナ・システムのＵＥで使用される方法１０のフローチャートを示す。図２は、本発明の一実施形態による大規模なアンテナ・システムの基地局デバイスで使用される方法２０のフローチャートである。図に示すように、方法１０は、ステップ１１、ステップ１２、およびステップ１３を含み、方法２０は、ステップ２１、およびステップ２２を含む。
【００２６】
ステップ１１において、ＵＥが下りリンク・チャネルを検出する。
【００２７】
ステップ１２において、ＵＥは、検出された下りリンク・チャネルからのマルチパス伝搬モデル（行列）により、第１の数の強い伝搬路のチャネル応答を決定し、各伝搬路のチャネル応答が、次の時変パラメータ、すなわち到来方向、到来する時間、およびパス振幅に関連する行列として決定される。各伝搬路のチャネル応答は、たとえば、式（１）の数式の右辺の表現形式であるが、これに限らない。
【００２８】
第１の数の強い伝搬路が、通常、次の方法を使用することによって選択される。
【００２９】
第１の方法では、「第１の数」はあらかじめ決定されていない。最初に、最大振幅を有する伝搬路、すなわち、その対応するβｋが最大モジュールを有する伝搬路が、決定される。次に、その振幅と最大伝搬路振幅の比があらかじめ決定された値よりも小さくない（または大きい）すべての伝搬路が決定され、あらかじめ決定された値は、たとえば、０．１と０．２の間の任意の値であるが、これに限らない。その振幅と最大伝搬路振幅の比があらかじめ決定された値よりも小さくない伝搬路（最大振幅値を有する伝搬路を含む）は、第１の数の強い伝搬路である。極端な場合、「第１の数」は１であってもよい、すなわち、１つの強い伝搬路、言い換えれば、最大振幅値を有する伝搬路しかない。
【００３０】
第２の方法では、「第１の数」は前もって決定される。「第１の数」の最大振幅を有する伝搬路は、強い伝搬路である。この方法は、動作量およびフィードバック情報量を前もって制御することができる。
【００３１】
ステップ１３において、ＵＥは、第１の数および第１の数の強い伝搬路の時変パラメータの表示情報をフィード・バックする。
【００３２】
一般的に、「第１の数」（強い伝搬路の数）は、Ｋｄとして表され、すべての伝搬路は、振幅の降順に、すなわち、｜β１｜≧｜β２｜≧Λ≧｜βｋ｜に並べられる。ＵＥは、Ｋｄ個の強い伝搬路の時変パラメータの表示情報をフィード・バックする。強い伝搬路の数Ｋｄは、マルチパス・チャネルの伝搬路の総数Ｋよりも小さく、したがって、フィードバック・ペイロードを削減することができる。
【００３３】
一実施形態では、ＵＥは、｛τｋ，θｋ，βｋ｜ｋ＝１〜Ｋｄ｝をフィード・バックする。時間にともなうパス振幅の変化は、時間にともなう到来方向および到来する時間の変化よりも速く、したがって、ＵＥは、より長い第１の平均周期で｛τｋ，θｋ｜ｋ＝１〜Ｋｄ｝をフィード・バックし、より短い第２の平均周期で｛βｋ｜ｋ＝１〜Ｋｄ｝をフィード・バックする。このように、異なる周期のフィードバック・モードが、チャネル・パラメータの時変特性に適用可能であり、したがってフィードバック・ペイロードをさらに節減する。
【００３４】
別の実施形態では、ＵＥは、より長い第１の平均周期で｛θｋ｜ｋ＝１〜Ｋｄ｝をフィード・バックし、より短い第２の平均周期で｛τｋ，βｋ｜ｋ＝１〜Ｋｄ｝をフィード・バックする。さらに別の実施形態では、ＵＥは、３つの異なる平均周期で｛θｋ｜ｋ＝１〜Ｋｄ｝、｛τｋ｜ｋ＝１〜Ｋｄ｝、および｛βｋ｜ｋ＝１〜Ｋｄ｝をフィード・バックする。
【００３５】
ステップ２１において、基地局デバイスは、第１の数および第１の数の強い伝搬路の時変パラメータの表示情報を受信し、第１の数および表示情報は、ＵＥによってフィード・バックされ、時変パラメータは、到来方向、到来する時間、およびパス振幅を含む。たとえば、到来方向、到来する時間、およびパス振幅は、ＵＥによってフィード・バックされる｛θｋ｜ｋ＝１〜Ｋｄ｝、｛τｋ｜ｋ＝１〜Ｋｄ｝、および｛βｋ｜ｋ＝１〜Ｋｄ｝であるが、これに限らない。
【００３６】
ステップ２２において、基地局デバイスは、第１の数の強い伝搬路の時変パラメータの受信された表示情報により、下りリンク・チャネル応答を決定する。下りリンク・チャネルの再構成は、次の式（４）によって表すことができるが、これに限らない。
【数３】
0006386032.tif 000004
【００３７】
場合によっては、いくつかのまたはただ１つのサブバンドがＵＥに割り当てられる。サブバンド上のチャネル応答は、フラットとみなされることが可能であり、ＵＥに割り当てられるチャネル係数のみが、フィード・バックされ、報告される必要があり、帯域幅全体のチャネル係数を報告することは不要である。前述の式（１）は、次のように書き換えることができる：
【数４】
0006386032.tif 000005
ここで、
【数５】
0006386032.tif 000006
は１×ＮＦＦＴの２次元ベクトルである。ｊ番目のサブキャリアのチャネル・ベクトルは、次のように表すことができる。
【数６】
0006386032.tif 000007
全帯域幅は、複数のサブバンドに分割され、各サブバンドにおけるチャネル応答は、フラットとみなすことができる。ｓ番目のサブバンドの平均チャネル・ベクトルは、
【数７】
0006386032.tif 000008
として表され、
【数８】
0006386032.tif 000009
は、次の式により計算される：
【数９】
0006386032.tif 000010
Ｊｓは、１つのサブバンドにおけるサブキャリアの数を表し、Ｊ（ｓ）は、ｓ番目のサブバンドにおけるサブキャリアの集合を表し、
【数１０】
0006386032.tif 000011
は、到来する時間およびサブバンドにおけるパス振幅の結合平均値を表す。ｓ番目のサブバンドがＵＥに割り当てられさえすれば、ＵＥは単に
【数１１】
0006386032.tif 000012
を基地局デバイスにフィード・バックして報告し、完全なチャネル行列Ｈを報告することは不要である。
【００３８】
同様に、第１の数の強い伝搬路が、結合平均値
【数１２】
0006386032.tif 000013
の最大モジュールまたは最大値ノルムを有するＫｄ個の伝搬路として決定される。一般的には、すべての伝搬路が、到来する時間およびパス振幅の結合平均値のモジュールの降順に、すなわち、
【数１３】
0006386032.tif 000014
に並べられ、ＵＥは、Ｋｄ個の強い伝搬路の時変パラメータの表示情報をフィード・バックするだけでよい。強い伝搬路の数Ｋｄは、マルチパス・チャネルの伝搬路の総数Ｋよりも小さく、したがって、フィードバック・ペイロードを削減することができる。
【００３９】
一実施形態では、ＵＥは、
【数１４】
0006386032.tif 000015
をフィード・バックする。時間にともなうパス振幅の結合平均値の変化は、時間にともなう到来方向の変化よりも速く、したがって、ＵＥは、より長い第１の平均周期で｛θｋ｜ｋ＝１〜Ｋｄ｝をフィード・バックし、より短い第２の平均周期で
【数１５】
0006386032.tif 000016
をフィード・バックする。このように、異なる周期のフィードバック・モードが、チャネル・パラメータの時変特性に適用可能であり、したがってフィードバック・ペイロードをさらに節減する。
【００４０】
それに応じて基地局デバイスは、ＵＥによってフィード・バックされた｛θｋ｜ｋ＝１〜Ｋｄ｝および
【数１６】
0006386032.tif 000017
を受信する。
【００４１】
ステップ２２において、基地局デバイスは、たとえば、これに限らないが、下記の式（８）を使用することによって下りリンク・チャネルを再構成する：
【数１７】
0006386032.tif 000018
図３は、本発明の一実施形態による、大規模なアンテナ・システムのＵＥで使用される装置３０の構造図を示す。図４は、本発明の一実施形態による、大規模なアンテナ・システムの基地局デバイスで使用される装置４０の構造図を示す。装置３０は、通常ＵＥに構成される。図３に示すように、装置３０は、検出モジュール３１と、計算モジュール３２と、フィードバック・モジュール３３とを含む。装置４０は、通常基地局デバイスに構成される。図４に示すように、装置４０は、受信モジュール４１と、計算モジュール４２とを含む。
【００４２】
検出モジュール３１は、下りリンク・チャネルを検出するように構成される。
【００４３】
計算モジュール３２は、検出された下りリンク・チャネルからのマルチパス伝搬モデル（行列）により、第１の数の強い伝搬路のチャネル応答を決定するように構成され、各強い伝搬路のチャネル応答が、次の時変パラメータ、すなわち到来方向、到来する時間、およびパス振幅に関連する行列として決定される。各強い伝搬路のチャネル応答は、たとえば、式（１）の数式の右辺の表現形式であるが、これに限らない。
【００４４】
第１の数の強い伝搬路を決定するための２つの方法については上述しており、ここでは繰り返さない。
【００４５】
フィードバック・モジュール３３は、第１の数および第１の数の強い伝搬路の時変パラメータの表示情報をフィード・バックするように構成される。
【００４６】
一般的には、「第１の数」（強い伝搬路の数）は、Ｋｄとして表され、すべての伝搬路は、振幅の降順に、すなわち、｜β１｜≧｜β２｜≧Λ≧｜βｋ｜に並べられる。ＵＥは、Ｋｄ個の強い伝搬路の時変パラメータの表示情報をフィード・バックする。強い伝搬路の数Ｋｄは、マルチパス・チャネルの伝搬路の総数Ｋよりも小さく、したがって、フィードバック・ペイロードを削減することができる。
【００４７】
一実施形態では、フィードバック・モジュール３３は、｛τｋ，θｋ，βｋ｜ｋ＝１〜Ｋｄ｝をフィード・バックする。時間にともなうパス振幅の変化は、時間にともなう到来方向および到来する時間の変化よりも速く、したがって、フィードバック・モジュール３３は、より長い第１の平均周期で｛τｋ，θｋ｜ｋ＝１〜Ｋｄ｝をフィード・バックし、より短い第２の平均周期で｛βｋ｜ｋ＝１〜Ｋｄ｝をフィード・バックする。このように、異なる周期のフィードバック・モードが、チャネル・パラメータの時変特性に適用可能であり、したがってフィードバック・ペイロードをさらに節減する。
【００４８】
別の実施形態では、フィードバック・モジュール３３は、より長い第１の平均周期で｛θｋ｜ｋ＝１〜Ｋｄ｝をフィード・バックし、より短い第２の平均周期で｛τｋ，βｋ｜ｋ＝１〜Ｋｄ｝をフィード・バックする。さらに別の実施形態では、フィードバック・モジュール３３は、３つの異なる平均周期で｛θｋ｜ｋ＝１〜Ｋｄ｝、｛τｋ｜ｋ＝１〜Ｋｄ｝、および｛βｋ｜ｋ＝１〜Ｋｄ｝をフィード・バックする。
【００４９】
受信モジュール４１は、第１の数および第１の数の強い伝搬路の時変パラメータの表示情報を受信するように構成され、第１の数および表示情報は、ＵＥによってフィード・バックされ、時変パラメータは、到来方向、到来する時間、およびパス振幅を含む。たとえば、受信モジュール４１は、ＵＥによってフィード・バックされる｛θｋ｜ｋ＝１〜Ｋｄ｝、｛τｋ｜ｋ＝１〜Ｋｄ｝、および｛βｋ｜ｋ＝１〜Ｋｄ｝を受信するが、これに限らない。
【００５０】
計算モジュール４２は、第１の数の強い伝搬路の時変パラメータの受信された表示情報により下りリンク・チャネル応答を決定するように構成される。下りリンク・チャネルの再構成は、前述の式（４）によって表すことができるが、これに限らない。
【００５１】
場合によっては、いくつかのまたはただ１つのサブバンドがＵＥに割り当てられる。サブバンド上のチャネル応答は、フラットとみなされることが可能であり、ＵＥに割り当てられるチャネル係数のみが、フィード・バックされ、報告される必要があり、帯域幅全体のチャネル係数を報告することは不要である。前述の式（１）は、前述の式（５）として書き換えられることが可能である。ｊ番目のサブキャリアのチャネル・ベクトルは、前述の式（６）として表すことができる。全帯域幅は、複数のサブバンドに分割され、各サブバンドにおけるチャネル応答は、フラットとみなすことができる。ｓ番目のサブバンドの平均チャネル・ベクトルは、
【数１８】
0006386032.tif 000019
として表され、
【数１９】
0006386032.tif 000020
は、前述の式（７）を使用して計算することができ、ここでＪＳは、１つのサブバンドにおけるサブキャリアの数を表し、Ｊ（Ｓ）は、ｓ番目のサブバンドにおけるサブキャリアの集合を表し、
【数２０】
0006386032.tif 000021
は、到来する時間およびサブバンドにおけるパス振幅の結合平均値を表す。ｓ番目のサブバンドがＵＥに割り当てられさえすれば、ＵＥは単に
【数２１】
0006386032.tif 000022
を基地局デバイスにフィード・バックして報告し、完全なチャネル行列Ｈを報告することは不要である。
【００５２】
同様に、第１の数の強い伝搬路が、結合平均値
【数２２】
0006386032.tif 000023
の最大モジュールまたは最大ノルムを有するＫｄ個の伝搬路として決定される。一般的には、すべての伝搬路は、到来する時間およびパス振幅の結合平均値のモジュールの降順に、すなわち
【数２３】
0006386032.tif 000024
に並べられる。ＵＥは、Ｋｄ個の強い伝搬路の時変パラメータの表示情報をフィード・バックするだけでよい。強い伝搬路の数Ｋｄは、マルチパス・チャネルの伝搬路の総数Ｋよりも小さく、したがって、フィードバック・ペイロードを削減することができる。
【００５３】
一実施形態では、フィードバック・モジュール３３は、
【数２４】
0006386032.tif 000025
をフィード・バックする。時間にともなうパス振幅の結合平均値の変化は、時間にともなう到来方向の変化よりも速く、したがって、フィードバック・モジュール３３は、より長い第１の平均周期で｛θｋ｜ｋ＝１〜Ｋｄ｝をフィード・バックし、より短い第２の平均周期で
【数２５】
0006386032.tif 000026
をフィード・バックする。このように、異なる周期のフィードバック・モードが、チャネル・パラメータの時変特性に適用可能であり、したがってフィードバック・ペイロードをさらに節減する。
【００５４】
それに応じて受信モジュール４１は、ＵＥによってフィード・バックされた｛θｋ｜ｋ＝１〜Ｋｄ｝および
【数２６】
0006386032.tif 000027
を受信する。計算モジュール４２による下りリンク・チャネルの再構成は、前述の式（８）によって表すことができるが、これに限らない。
【００５５】
上記のモジュールのいずれか１つの機能は、複数のエンティティ・モジュールまたは機能モジュールによって実施されることが可能であり、上記の複数のモジュールの機能は、１つのエンティティ・モジュール上に統合されるまたは機能モジュールによって実施されることも可能であることは、当業者には理解されよう。
【００５６】
本発明の様々な実施形態について上述しているが、本発明は、これらの実施形態に限定されない。特許請求の範囲における「第１の」および「第２の」などの序数は、区別するために提供されているにすぎず、対応する構成要素がいずれか特定の順序関係または接続関係を有することを意味しない。技術的特徴が単にいくつかの請求項または実施形態に見られることは、技術的特徴が他の請求項または実施形態における他の特徴と組み合わされて、新しい有益な技術的解決法を実現する可能性がないことを意味しない。特許請求の範囲に記載される本発明の趣旨および範囲内の変更形態、変形形態、変換形態、代替形態、および均等物は、当業者には明らかである。
【図１】
0006386032.tif 000028
【図２】
0006386032.tif 000029
【図３】
0006386032.tif 000030
【図４】
0006386032.tif 000031